Podtech/llm-jp-corpus-v4-ja_patent huggingface dataset:
(57)【要約】【課題】  ボードやベニヤ、鉄板等に孔を明けワイヤー付ピンを穴に挿入し物品等を吊り下げることができるため、重い物でも問題なく吊り下げられる。  また、誰でも簡単・確実に挿入して取り付けることができ、多目的に使用できるワイヤー付ピン取付方法を提供する。【解決手段】  天井や壁材に孔を明ける孔明工程と、ワイヤー付ピンを孔に挿入する挿入工程と、ワイヤーを引くことによりピンをアンカーとして係止する係止工程とからなるワイヤー付ピン取付方法。【選択図】図１
2010002046.tif 000002
【特許請求の範囲】
【請求項１】
天井や壁材に孔を明ける孔明工程と、ワイヤー付ピンを孔に挿入する挿入工程と、ワイヤーを引くことによりピンをアンカーとして係止する係止工程とからなるワイヤー付ピン取付方法。
【発明の詳細な説明】
【技術分野】
【０００１】  本発明は、主に石膏ボードやベニヤ、鉄板等の天井材や壁材に対して、差し込み、物品等を吊り下げ、支持するためのワイヤー付ピン取付方法に関するものである。
【背景技術】
【０００２】  背景技術としては、一定長さのワイヤーロープに通し込まれた昇降調整金具と、そのワイヤーロープの上端部を既設固定物へ取付け固定するための取付金具と、同じくワイヤーロープの下端部に取付けられた昇降調整金具用抜け止めストッパーとからなり、額縁や植木鉢などの各種品物を吊り下げる索条の係止金具を、上記昇降調整金具へ一体的に組み付けた懸垂装置において、上記係止金具の下半部に斜め上向くフックの出し入れ面を、その係止金具と一緒に上記昇降調整金具へ組み付けられたはずれ止め片の弾性カバーにより、上記吊り下げ索条の脱落不能に遮断したことを特徴とする懸垂装置がある。（特許文献１参照）
【特許文献１】特開平１０−３０４９５９号公報
【発明の開示】
【発明が解決しようとする課題】
【０００３】  上記の形態から解るように、特に図３に表されているように、固定具（１５）によって、天井面（Ｃ）に取付け使用されるもので、固定具（１５）として皿ビスや釘などを使用しており、特に石膏ボードにおいては、植木鉢等の重い物を吊り下げた場合、抜けてしまう危険性が大であり、問題がある。【０００４】  本発明は、上記の問題点に鑑みなされたもので、その目的はボードやベニヤ、鉄板等に孔を明けワイヤー付ピンを孔に挿入し物品等を吊り下げることができるため、重い物でも問題なく吊り下げられる。
また、誰でも簡単・確実に挿入して取り付けることができ、多目的に使用できるワイヤー付ピン取付方法を提供するものである。
【課題を解決するための手段】
【０００５】  本発明は、上記目的を達成するために、天井や壁材に孔を明ける孔明工程と、ワイヤー付ピンを孔に挿入する挿入工程と、ワイヤーを引くことによりピンをアンカーをして係止する係止工程とからなるワイヤー付ピン取り付け方法。
【発明の効果】
【０００６】１）、孔明工程と挿入工程と係止工程の３工程により、ワイヤー付ピンを簡単・容易に取り付けることができる。
２）、孔明工程により、石膏ボードやベニヤ、鉄板等、材質や厚さ等関係なく加工できる。
３）、挿入工程は、孔に挿入（差し込む）すればよく、特別な技術はいらない。
４）、係止工程は、ワイヤー付ピンのピン本体が自動的に反転し、係止し易い状態となるため、ワイヤーを引っ張るのみで取付を完了できる。
５）、ピン本体にワイヤーを設けたシンプルな形状でありながら、強靭なアンカー効果を有し、植木鉢等の重い物も吊り下げることができる効果がある。
６）、挿入孔をピン本体の中央部よりやや後方に設けることにより、挿入後、ピン本体を反転させやすくアンカーとして機能できる。
７）、紐の下端部にフックを設けることにより、色々な物を吊るすことができ、特に２つフックを設けることにより、棚等を施工でき、多目的に使用できる。
【発明を実施するための最良の形態】
【０００７】  取付方法で使用するワイヤー付ピンについて説明する。
一例として、ワイヤー付ピン１は石膏ボード等の孔に挿入すべく、棒状のピン本体２（前後をＲ加工してある）の中央よりやや後方にワイヤー挿入孔２ａを設けると共に、ワイヤー挿入孔２ａにワイヤー３を通し、例えば両端にフック４を設けてなる。【０００８】  つぎに、ワイヤー付ピン取付方法について説明する。
１）、例えば、天井板Ｔ（材質は特に限定しない）の所要位置に、ドリルＤ等の工具を使用し必要な径の孔ＡＮを明ける孔明工程。
２）、上記ワイヤー付ピン１のピン本体２を天井板Ｔの孔ＡＮに挿入し、後方へ貫通させる挿入工程。
３）、ワイヤー付ピン１のワイヤー３を手前に引くことにより、ピン本体２が天井板Ｔの裏面に係止される係止工程。
上記のようにワイヤー付ピン１は、天井板Ｔに係止され、例えば、フック４に、ディスプレイ商品ＤＳ等を吊下げることができるものである。【０００９】  なお、ワイヤー付ピンにおいて、使用するワイヤー付ピン１の材質・大きさ等においては必要に応じて決めればよい。
また、天井板のみならず壁材にも使用でき、材質は問わない。
【図面の簡単な説明】
【００１０】
【図１】  本発明の一実施例を示すワイヤー付ピン取付方法に使用するワイヤー付ピンの構成図。
【図２】  本発明の一実施例を示すワイヤー付ピン取付方法の孔明工程図。
【図３】  本発明の一実施例を示すワイヤー付ピン取付方法の挿入工程図。
【図４】  本発明の一実施例を示すワイヤー付ピン取付方法の係止工程図。
【符号の説明】
【００１１】  １――――ワイヤー付ピン
２――――ピン本体
２ａ―――ワイヤー挿入孔
３――――ワイヤー
４――――フック
Ｔ――――天井板
ＡＮ―――孔
Ｄ――――ドリル
ＤＳ―――ディスプレイ商品
【図１】
2010002046.tif 000003
【図２】
2010002046.tif 000004
【図３】
2010002046.tif 000005
【図４】
2010002046.tif 000006